(57)【要約】【課題】ヘアピンのような細かい小物をバラバラにならにならないように効率よく収納できて使いやすい小物入れトレイを提供する。【解決手段】トレイ１の底面を奥側は曲率が大きく且つ手前側が曲率が小さくその間をなめらかな曲面で一連につなぎ且つトレイ１の前壁２まで曲面が至っている。これによりヘアピンのような細い小物がバラバラにならないように奥側の曲率の大きい曲面に集めて収納できる。【選択図】        図１
2004173817.tif 000002
【特許請求の範囲】
【請求項１】
トレイの底面を奥側は曲率が大きく且つ手前側が曲率が小さくその間をなめらかな曲面で一連につなぎ且つトレイの前壁まで曲面が至っていることを特徴とする小物入れトレイ。
【請求項２】
トレイは上記底面が曲面となった収納部を備えると共に、底面が平坦面となった収納部を少なくとも１個所以上備えていることを特徴とする小物入れトレイ。
【発明の詳細な説明】
【０００１】
【発明の属する技術分野】
本発明は、小物入れトレイに関するものである。
【０００２】
【従来の技術】
従来からミラーキャビネットやシステムキッチン等に小物を載せるための底面が平坦面となった小物入れトレイを設けることが知られている。（例えば特許文献１参照）
このような底面が平坦面となったトレイはコップ等の自立できる小物を載置して収納するようにしている。
【０００３】
ところで、ミラーキャビネットなどにはヘアピンのような細かなものを専用に収納する場所がないので、ヘアピンのような細かい小物は上記底面が平坦面となったトレイに平置きしているのが現状である。
【０００４】
【特許文献１】
実開平６−１６５号公報
【０００５】
【発明が解決しようとする課題】
上記のような特許文献１に示される従来例にあっては、ヘアピンのような細かい小物を置く専用の場所がなくて、底面が平坦面となったトレイの上に平置きしているため、位置、向きがバラバラになりやすく、このため、別途専用ケースを用意してその中に入れておく等収納場所に困っている。そして、ミラーキャビネットで整髪、化粧を行っている際に、ヘアピンなどは容易に置け且つ取りやすい位置にある必要があるが、上記のように底面が平坦面となったトレイに位置、向きがバラバラの状態で平置きしてあったり、あるいは、専用ケースに入れてトレイ上に載せておくものにおいては、取り出し、使用勝手が悪いという問題がある。
【０００６】
本発明は上記の点に鑑みてなされたものであり、ヘアピンのような細かい小物をバラバラにならないように効率よく収納できて使いやすい小物入れトレイを提供することを課題とするものである。
【０００７】
【課題を解決するための手段】
上記課題を解決するために本発明に係る小物入れトレイは、トレイ１の底面を奥側は曲率が大きく且つ手前側が曲率が小さくその間をなめらかな曲面で一連につなぎ且つトレイ１の前壁２まで曲面が至っていることを特徴とするものである。このような構成とすることでトレイ１にヘアピンのような細かなものを置くと曲面に沿って奥側の曲率が大きくなった部分にヘアピンが集まるため、ヘアピンのような細かいものがバラバラになることなく一箇所に向きを同じにして集めて収納できるものであり、また、取り出す際には奥側の曲率が大きくなった部分と手前側の曲率が小さい部分の間をなめらかな曲面で一連につなぎ且つトレイ１の前壁２まで曲面が至っているので、奥の曲率が大きくなった部分に向きを同じにして集めて収納されたヘアピンのような細かいものが指で取り出しやすいものである。
【０００８】
また、トレイ１は上記底面が曲面となった収納部３を備えると共に、底面が平坦面となった収納部４を少なくとも１個所以上備えていることが好ましい。このような構成とすることでヘアピン等の細かいものの収納のみならずコップ等自立する一般的な小物も収納することができるものである。
【０００９】
【発明の実施の形態】
以下、本発明を添付図面に示す実施形態に基づいて説明する。
【００１０】
添付図面に示す実施形態ではトレイ１は底面が曲面となった収納部３と、底面が平坦面となった収納部４とを備えている。図１乃至図３に示す実施形態においてトレイ１の左右方向に底面が曲面となった収納部３と、底面が平坦面となった収納部４とが並んで設けてある。
【００１１】
底面が曲面となった収納部３は奥側が手前側に比べて深くなっていて、この底面の奥側の深い部分が曲率の大きい大曲率部３ａとなり、底面の手前側の浅い部分が奥側に比べて曲率が小さい小曲率部３ｂとなり、大曲率部３ａと小曲率部３ｂとの間をなめらかな曲面３ｃ（この曲面３ｃの曲率は大曲率部３ａの曲率よりも小さく小曲率部３ｂの曲率よりも大きい）で一連につないであり、更に、手前側の小曲率部３ｂの前端はトレイ１の前壁２まで至っている。
【００１２】
底面が平坦面となった収納部４はコップ等の自立する一般的な小物を収納するためのものであり、上記底面が曲面となった収納部３よりも深さが深いものであり、底面が平坦面となった収納部４の一側端と平面が曲面となった収納部３の一側端との間が段壁部５となっており、したがって、底面が平坦面となった収納部４の４辺に上記段壁部５とトレイ１の前壁２、一側壁６、後壁７が存在してこれらの段壁部５、前壁２、一側壁６、後壁７により囲まれ、底面が平坦面となった収納部４にコップ等の自立する小物を収納した場合に、横に滑ってもこれら段壁部５、前壁２、一側壁６、後壁７により落下したり、あるいは底面が曲面となった収納部４側に移動したりしないようになっている。
【００１３】
上記実施形態においては、底面が平坦面となった収納部４を１つ底面が曲面となった収納部３を１つ設けたトレイ１の例を示したが、図４に示すように底面が平坦面となった収納部４を１つ底面が曲面となった収納部３を複数個備えたものであってもよく、あるいは、図示を省略しているが底面が曲面となった収納部３を１つ底面が平坦面となった収納部４を複数個設けたものであってもよく、あるいは底面が曲面となった収納部３を複数個、底面が平坦面となった収納部４を複数個設けたものであってもよいものである。
【００１４】
しかして、上記のような構成のトレイ１は例えば図５に示すようにミラーキャビネット１０やシステムキッチン等に取付けて使用されるものであり、例えは、ヘアピンのような細い小物は底面が曲面となった収納部３内に収納するものであり、また、コップのような自立する小物は底面が平坦な収納部４内に自立させて収納するものである。なお、図５において１０ａはミラーキャビネット１０に設けたミラー、１０ｂは照明器具である。
【００１５】
ここで、ヘアピンのような細い小物を底面が曲面となった収納部３内に収納すると、ヘアピンのような細い小物を曲面となった底面のどこに置いても、また、どのような向きで置いても曲面に沿って底面の奥側が曲率が大きい大曲率部３ａに向きを同じにして集まって収納されることになり、ヘアピンがバラバラに収納されることがない。そして、このように底面が曲面となった収納部３の奥側の曲率の大きい大曲率部３ａに集まったピンのような細い小物は向きを同じにして一箇所に集めて収納してあるので、指先でつまんで使用したり、あるいはピンのような細い小物を指で押さえて曲面に沿って奥側の曲率の大きな大曲率部３ａから手前の曲率の小さな小曲率部３ｂに移動して小曲率部３ｂの前端のトレイ１の前壁２から手前に引き出しながら摘み取って使用したりするのがきわめて容易に行えるものであり、特に、曲面に沿って手前に引き出しながら前壁２に邪魔されることなくピンのような細い小物を簡単に摘み取ることができるで、ピンのような細いものでも容易に摘みとることができるものである。また、底面が曲面となった収納部３内に口紅のように略円筒状をした小物を横にして収納することもでき、この場合、口紅のような略円筒状をした小物は底面の曲面に沿って奥側の曲率が大きい大曲率部３ａに集まり、したがって、この場合も、口紅のような略円筒状をした小物をトレイ１の一箇所に位置決めして収納でき、また取り出す際の決まった場所に収納されるので、容易に取り出すことができるものである。
【００１６】
ところで、トレイ１を例えばミラーキャビネット１０やシステムキッチン等に取付けるに当たっては、ミラーキャビネット１０やシステムキッチンにボスのような受け部を設けてその上に着脱自在に載設したり、あるいはトレイ１に引掛け部８を設けると共にミラーキャビネットやシステムキッチンに被引掛け部９を設け、引掛け部８を被引掛け部９に着脱自在に引掛け係止するようにしてもよいものである。
【００１７】
図６、図７にはトレイ１に設けた引掛け部８、ミラーキャビネット１０に設けた被引掛け部９の一例を示す。図６、図７に示す実施形態では引掛け部８が断面Ｌ状をしており、この断面Ｌ状の引掛け部８をミラーキャビネット１０に設けた差し込み溝よりなる被引掛け部９に着脱自在に引掛け係止するようにしている。
【００１８】
【発明の効果】
上記のように本発明の請求項１記載の発明にあっては、トレイの底面を奥側は曲率が大きく且つ手前側が曲率が小さくその間をなめらかな曲面で一連につなぎ且つトレイの前壁まで曲面が至っているので、トレイにヘアピンのような細かなものを置くと曲面に沿って奥側の曲率が大きくなった部分にヘアピンが集まり、ヘアピンのような細かいものがバラバラになることなく一箇所に同じ向きで収納できるものであり、また、取り出す際には奥側の曲率が大きくなった部分と手前側が曲率が小さい部分の間をなめらかな曲面で一連につなぎ且つトレイの前壁まで曲面が至っているので、奥の曲率が大きくなった部分に同じ向きとなるように集めて収納されたヘアピンのような細かいものがトレイの手前の壁に邪魔されることなく指で容易に取りやすいものであり、また、口紅のような略円筒状の小物を横にして収納すると奥側の曲率の大きな曲面部分に収納され、口紅のような略円筒状の小物が転がらないように収納できるものであり、口紅のような略円筒状の小物の収納個所が一定するので取り出して使用する場合も容易に行えるものである。
【００１９】
また、請求項２は上記請求項１記載の発明の効果に加えて、トレイは上記曲面となった底面の収納部を備えると共に、平坦面となった底面の収納部を少なくとも１個所以上備えているので、ヘアピン等の細かいものの収納のみならずコップ等自立する一般的な小物も収納することができて、多機能の収納ができる小物入れトレイを提供できるものである。
【図面の簡単な説明】
【図１】本発明の一実施形態の斜視図である。
【図２】同上の平面図である。
【図３】（ａ）は図２のＡ−Ａ線の断面図であり、（ｂ）は図２のＢ−Ｂ線の断面図であり、（ｃ）は図２のＣ−Ｃ線の断面図であり、（ｄ）は図２のＤ−Ｄ線の断面図である。
【図４】本発明の他の実施形態の斜視図である。
【図５】本発明のトレイをミラーキャビネットに取付けた例を示す正面図である。
【図６】（ａ）は同上のトレイに引掛け部を設けた例を示す斜視図であり、（ｂ）は平面図である。
【図７】同上のトレイの引掛け部をミラーキャビネットの被引掛け部に引掛け係止した状態の断面図である。
【符号の説明】
１  トレイ
２  前壁
３  底面が曲面となった収納部
４  底面が平坦面となった収納部
【図１】
2004173817.tif 000003
【図２】
2004173817.tif 000004
【図３】
2004173817.tif 000005
【図４】
2004173817.tif 000006
【図５】
2004173817.tif 000007
【図６】
2004173817.tif 000008
【図７】
2004173817.tif 000009